(57)【要約】【課題】容易に製作できるうえに装飾用板材の固定性能が高いＡＬＣ部材を提供する。【解決手段】表面に装飾用板材が取り付けられたＡＬＣ部材である。  ＡＬＣ部材となる出隅部材１は、ＡＬＣ本体部２と、ＡＬＣ本体部の外側面側に取り付けられた下地板５と、ＡＬＣ本体部の内側面側に取り付けられた金属プレート３と、下地板、ＡＬＣ本体部及び金属プレートに貫通させて先端を金属プレートから突出させたドリルネジ４とを備えている。  そして、出隅部材を建物本体部側の梁７に連結させる稲妻プレート６を、ドリルビス６３によって金属プレート及びＡＬＣ本体部に接合させる。【選択図】図１
2018012968.tif 000002
【特許請求の範囲】
【請求項１】
表面に装飾用板材が取り付けられたＡＬＣ部材であって、
ＡＬＣ本体部と、
前記ＡＬＣ本体部の外側面側に取り付けられた装飾用板材と、
前記ＡＬＣ本体部の内側面側に取り付けられた金属プレートと、
前記装飾用板材、前記ＡＬＣ本体部及び前記金属プレートに貫通させて先端を前記金属プレートから突出させた棒状固定具とを備えたことを特徴とするＡＬＣ部材。
【請求項２】
前記棒状固定具は、ドリルネジ、ビス又は釘であることを特徴とする請求項１に記載のＡＬＣ部材。
【請求項３】
前記装飾用板材は、接着剤によって前記ＡＬＣ本体部と接合されていることを特徴とする請求項１又は２に記載のＡＬＣ部材。
【請求項４】
前記装飾用板材は、タイルが貼り付けられる下地板であることを特徴とする請求項１乃至３のいずれか一項に記載のＡＬＣ部材。
【請求項５】
前記ＡＬＣ本体部は平面視略Ｌ字形に成形されており、前記ＡＬＣ本体部の内角側又は外角側に平面視略Ｌ字形の長尺状の前記金属プレートが取り付けられることを特徴とする請求項１乃至４のいずれか一項に記載のＡＬＣ部材。
【請求項６】
請求項１乃至５のいずれか一項に記載のＡＬＣ部材を建物本体部に取り付けるためのＡＬＣ部材の固定構造であって、
前記建物本体部側に連結させる固定金具を前記金属プレート及びＡＬＣ本体部に接合させることを特徴とするＡＬＣ部材の固定構造。
【請求項７】
請求項６に記載のＡＬＣ部材の固定構造を備えたことを特徴とする建物。
【発明の詳細な説明】
【技術分野】
【０００１】
本発明は、表面に装飾用板材が取り付けられたＡＬＣ部材、及びそれを建物本体部に取り付けるためのＡＬＣ部材の固定構造、並びにその固定構造を備えた建物に関するものである。
【背景技術】
【０００２】
特許文献１−３に開示されているように、軽量発泡コンクリート部材であるＡＬＣ部材を使用した、軽量で耐火性能に優れた建築用部材が知られている。このようなＡＬＣ部材は、壁パネル、天井パネルなどに使用される。
【０００３】
そして、ＡＬＣ部材には、化粧板などの部材が表面に取り付けられることがある。特許文献１のＡＬＣ部材の内部には、天井化粧板を取り付けるための金属プレートが埋設されている。
【０００４】
一方、特許文献２に開示されているように、ＡＬＣパネル壁は、稲妻プレートと呼ばれる固定金具を介して鉄骨梁などの建物本体部側に連結される。また、特許文献３に開示されているように、パネルを貫通させたＬ字形のボルトを回転させることで、通しアングルにボルトの先端を引っ掛けさせる連結方法もある。
【先行技術文献】
【特許文献】
【０００５】
【特許文献１】特開２０１０−１５０９０８号公報
【特許文献２】特開平８−３１２０４２号公報
【特許文献３】特開平７−１８９３８７号公報
【発明の概要】
【発明が解決しようとする課題】
【０００６】
しかしながら、ＡＬＣ部材の内部に金属プレートを埋設させる構造では、金属プレートを正確な位置に埋設させなければならない。また、化粧板と金属プレートとが近接されることになるため、両者をつなぐタッピンビスのアームが短くなって大きな抵抗モーメントが確保しにくい。
【０００７】
そこで、本発明は、容易に製作できるうえに装飾用板材の固定性能が高いＡＬＣ部材、ＡＬＣ部材の固定構造及び建物を提供することを目的としている。
【課題を解決するための手段】
【０００８】
前記目的を達成するために、本発明のＡＬＣ部材は、表面に装飾用板材が取り付けられたＡＬＣ部材であって、ＡＬＣ本体部と、前記ＡＬＣ本体部の外側面側に取り付けられた装飾用板材と、前記ＡＬＣ本体部の内側面側に取り付けられた金属プレートと、前記装飾用板材、前記ＡＬＣ本体部及び前記金属プレートに貫通させて先端を前記金属プレートから突出させた棒状固定具とを備えたことを特徴とする。
【０００９】
ここで、前記棒状固定具は、ドリルネジ、ビス又は釘によって構成することができる。また、前記装飾用板材は、接着剤によって前記ＡＬＣ本体部と接合されている構成とすることができる。
【００１０】
さらに、前記装飾用板材は、タイルが貼り付けられる下地板であってもよい。また、前記ＡＬＣ本体部は平面視略Ｌ字形に成形されており、前記ＡＬＣ本体部の内角側又は外角側に平面視略Ｌ字形の長尺状の前記金属プレートが取り付けられる構成とすることができる。
【００１１】
そして、ＡＬＣ部材の固定構造又は建物は、上記いずれかに記載のＡＬＣ部材を建物本体部に取り付けるためのＡＬＣ部材の固定構造又はそれを備えた建物であって、前記建物本体部側に連結させる固定金具を前記金属プレート及びＡＬＣ本体部に接合させることを特徴とする。
【発明の効果】
【００１２】
このように構成された本発明のＡＬＣ部材は、ＡＬＣ本体部の外側面側に取り付けられる装飾用板材と内側面側に取り付けられる金属プレートとが、棒状固定具によって連結される構造となっている。
【００１３】
すなわち金属プレートは、ＡＬＣ本体部の表面に取り付ければよいため、容易に製作することができる。さらに、装飾用板材と金属プレートとの離隔がＡＬＣ本体部の厚さとなって広く確保できるので、大きな抵抗モーメントにすることができ、高い固定性能を発揮させることが可能になる。
【００１４】
このような棒状固定具は、ドリルネジ、ビス又は釘などで簡単に構成することができる。さらに、ＡＬＣ本体部と装飾用板材との接合に、接着剤を併用させてより強固に一体化させることができる。
【００１５】
そして、高い強度で固定された装飾用板材には、タイルを貼り付けることができる。また、平面視略Ｌ字形に成形されたＡＬＣ本体部であれば、外壁の出隅や入隅に配置することができる。
【００１６】
また、ＡＬＣ部材の固定構造及び建物では、建物本体部側と連結させる固定金具が、金属プレートを配置したＡＬＣ本体部に接合されるため、金属プレートによって補強された接合構造とすることができる。
【図面の簡単な説明】
【００１７】
【図１】本実施の形態の出隅部材の固定構造の構成を説明する斜視図である。
【図２】本実施の形態の出隅部材の構成を説明する横断面図である。
【図３】出隅部材が配置された建物の外壁の構成を説明する縦断面図である。
【図４】図３に示した縦断面図の上部と下部とを拡大して説明する部分拡大図である。
【図５】本実施の形態の入隅部材の構成を説明する横断面図である。
【図６】出隅部材と入隅部材とが配置された建物の外壁の構造を説明する横断面図である。
【発明を実施するための形態】
【００１８】
以下、本発明の実施の形態について図面を参照して説明する。図１及び図２は、本実施の形態のＡＬＣ部材としての出隅部材１の構成を説明するための斜視図及び横断面図である。
【００１９】
ＡＬＣ部材は、軽量発泡コンクリートによって成形される軽量かつ耐火性能に優れた建築用部材で、壁パネルや天井パネルなどのようにパネル状に成形されて使用される。また、パネル間を繋ぐ隅角部に配置される部材としても使用される。
【００２０】
本実施の形態の出隅部材１は、ＡＬＣ本体部２と、ＡＬＣ本体部２の外側面側に取り付けられる装飾用板材としての下地板５と、ＡＬＣ本体部２の内側面側に取り付けられる金属プレート３と、棒状固定具としてのドリルネジ４とによって主に構成される。
【００２１】
ＡＬＣ本体部２は、軽量発泡コンクリートによって平面視略Ｌ字形に成形される。すなわち、Ｌ字形の一辺側となる第１辺部２１と、他辺側となる第２辺部２２とが略直角で交差している。
【００２２】
ＡＬＣ本体部２には、図２に示すように、縦筋や横筋などの鉄筋が鉄筋部２３として埋設されている。ＡＬＣ本体部２は、図３に示すように、床側に配置される梁７と天井側に配置される梁７Ａとの間隔に合わせた、約１階分の高さと同程度の長さに成形される。
【００２３】
下地板５は、ＡＬＣ本体部２の外側面の全面を覆うように平面視略Ｌ字形に成形される。下地板５は、タイル５１，・・・を貼り付けるための下地となる板材であって、タイル５１，５１間では目地として露出することになる。また、平面視略Ｌ字形に形成される下地板５は、複数枚の板材の組み合わせであっても、一体に成形されたものであってもいずれでもよい。
【００２４】
タイル５１，・・・は、接着剤によって下地板５に接合される。この接着剤には、例えば高耐候弾性のエポキシ接着剤が使用できる。また、下地板５の端面５２とＡＬＣ本体部２の端面２４とを連続して覆うように接着剤が塗布される（図２参照）。要するに下地板５は、外周が接着剤によってＡＬＣ本体部２に接合されていることになる。
【００２５】
ここで、ＡＬＣ本体部２の外側面とは、出隅の場合は、交差する第１辺部２１と第２辺部２２の外角側の側面を指す。そして、ＡＬＣ本体部２の内側面側に取り付けられる金属プレート３は、第１板部３１と第２板部３２とが略直交する平面視略Ｌ字形のアングル状に形成される。
【００２６】
金属プレート３の第１板部３１は、ＡＬＣ本体部２の第１辺部２１に密着させる。また、金属プレート３の第２板部３２は、ＡＬＣ本体部２の第２辺部２２に密着させる。
【００２７】
ここで、第１板部３１と第２板部３２は、それぞれ第１辺部２１と第２辺部２２の幅より狭く、ＡＬＣ本体部２の内側面内に収まるように金属プレート３は形成される。また、金属プレート３は、ＡＬＣ本体部２のほぼ全長にわたって取り付けられる。
【００２８】
そして、ドリルネジ４は、図２に示すように、下地板５、ＡＬＣ本体部２及び金属プレート３に貫通されて、先端４１が金属プレート３から突出される。この金属プレート３から突出させた先端４１は、後述するように金属プレート３との接合が解除されることがない長さを残して切断される。
【００２９】
さらに詳細に説明すると、ドリルネジ４は、下地板５、第１辺部２１及び第１板部３１に貫通される。また、別のドリルネジ４は、下地板５、第２辺部２２及び第２板部３２に貫通される。
【００３０】
このように構成される出隅部材１は、図３及び図４に示すように、建物の梁７，７Ａなどの建物本体部に取り付けられる。梁７の上面には、図１及び図４に示すように、縁部に沿って側面視略Ｚ字形の外壁ランナ７１が溶接によって固定されている。
【００３１】
この外壁ランナ７１は、出隅部材１の内側面に沿って立ち上げられる立壁部７１１を備えており、この立壁部７１１に溶接接合された固定金具としての稲妻プレート６を介して、出隅部材１は建物本体部側に連結される。
【００３２】
稲妻プレート６は、金属プレート３に接触される平坦部６１と、立壁部７１１の厚さ分の遷移部を経て立壁部７１１に接触される膨出部６２とによって形成される。
【００３３】
詳細には、稲妻プレート６の膨出部６２が立壁部７１１に溶接によって接合され、上方に張り出された平坦部６１が、ドリルビス６３によって出隅部材１に接合される。
【００３４】
また、図４に示すように、稲妻プレート６の平坦部６１にねじ込まれたドリルビス６３は、金属プレート３を貫通してＡＬＣ本体部２の内部に先端が埋設される。
【００３５】
さらに、床側の梁７と出隅部材１の下端との取り付け構造においては、上下方向に間隔を置いて複数本（例えば２本）のドリルネジ４，４が、下地板５、ＡＬＣ本体部２及び金属プレート３に貫通される。そして、梁７の外側面側は、下化粧部材７２によって覆われる。
【００３６】
ここまでは、床側の梁７と出隅部材１の下端との取り付け構造について説明したが、天井側の梁７Ａと出隅部材１の上端との取り付け構造も同様に構成される。
【００３７】
但し、天井側の梁７Ａと出隅部材１の上端との取り付け構造においては、ドリルネジ４は１本でもよい。そして、梁７Ａの外側面側は、上化粧部材７３によって覆われる。
【００３８】
続いて、本実施の形態のＡＬＣ部材としての入隅部材１Ａの構成について、図５を参照しながら説明する。本実施の形態の入隅部材1Ａは、ＡＬＣ本体部２Ａと、ＡＬＣ本体部２Ａの外側面側に取り付けられる装飾用板材としての下地板５Ａと、ＡＬＣ本体部２Ａの内側面側に取り付けられる金属プレート３Ａと、棒状固定具としてのドリルネジ４とによって主に構成される。
【００３９】
ＡＬＣ本体部２Ａは、軽量発泡コンクリートによって、第１辺部２１Ａと第２辺部２２Ａとが略直交して平面視略Ｌ字形に成形される。下地板５Ａは、ＡＬＣ本体部２Ａの外側面の全面を覆うように平面視略Ｌ字形に形成される。
【００４０】
ここで、ＡＬＣ本体部２Ａの外側面とは、入隅の場合は、交差する第１辺部２１Ａと第２辺部２２Ａの内角側の側面を指す。また、平面視略Ｌ字形に形成される下地板５Ａは、複数枚の板材の組み合わせであっても、一体に成形されたものであってもいずれでもよい。
【００４１】
そして、ＡＬＣ本体部２Ａの外側面側に取り付けられる金属プレート３Ａは、第１板部３１Ａと第２板部３２Ａとが略直交する平面視略Ｌ字形のアングル状に形成される。
【００４２】
金属プレート３Ａの第１板部３１Ａは、ＡＬＣ本体部２Ａの第１辺部２１Ａに密着させる。また、金属プレート３Ａの第２板部３２Ａは、ＡＬＣ本体部２Ａの第２辺部２２Ａに密着させる。
【００４３】
そして、ドリルネジ４は、下地板５Ａ、第１辺部２１Ａ及び第１板部３１Ａに貫通されて、先端４１が金属プレート３Ａから突出される。また、別のドリルネジ４は、下地板５Ａ、第２辺部２２Ａ及び第２板部３２Ａに貫通される。
【００４４】
さらに、下地板５Ａの端面５２とＡＬＣ本体部２Ａの端面２４とを連続して覆うように接着剤が塗布されることによって、下地板５Ａの外周が接着剤を介してＡＬＣ本体部２Ａに接合される。
【００４５】
図６は、外壁に出隅部と入隅部が発生する建物の横断面図を示している。この外壁の出隅部には出隅部材１が配置され、入隅部には入隅部材１Ａが配置される。
【００４６】
出隅部材１及び入隅部材１Ａには、平壁部材８が接続される。この平壁部材８は、上下の梁７，７Ａ間に介在される間柱であるスタッド７６に取り付けられる。
【００４７】
さらに、出隅部材１と入隅部材１Ａとの間も、平壁部材８によって接続される。出隅部材１又は入隅部材１Ａと平壁部材８との間には、タイル５１，５１間に合わせてガスケットなどが挿入される目地部８１が設けられる。
【００４８】
出隅部材１、入隅部材１Ａ及び平壁部材８の内側面側には、内壁部７４，７４Ａが設けられる。また、内壁部７４，７４Ａ側に突出したドリルネジ４の先端４１は、切断されて除去される。
【００４９】
ここで、ドリルネジ４の切断は、金属プレート３，３Ａとの接合が解除されることがないように、数mm残して行われる。また、出隅部材１、入隅部材１Ａ及び平壁部材８と内壁部７４，７４Ａとの間には、断熱材７５などが配置される。
【００５０】
次に、本実施の形態の出隅部材１及び入隅部材１Ａ、並びにそれを使用した固定構造及び建物の作用について説明する。
【００５１】
このように構成された本実施の形態の出隅部材１（又は入隅部材１Ａ）は、出隅部材１（入隅部材１Ａ）の外側面側に取り付けられる下地板５（５Ａ）と内側面側に取り付けられる金属プレート３（３Ａ）とが、ドリルネジ４によって連結される構造となっている。
【００５２】
すなわち金属プレート３（３Ａ）は、ＡＬＣ本体部２，２Ａの表面である内側面側に取り付ければよいため、内部に埋設させる場合に比べて、軽量発泡コンクリートの硬化後でも取り付けが可能であるなど、容易に製作することができる。
【００５３】
さらに、下地板５（５Ａ）と金属プレート３（３Ａ）との離隔がＡＬＣ本体部２（２Ａ）の厚さとなって、金属プレートが本体部内に埋設される場合と比べて広く確保できる。
【００５４】
下地板５（５Ａ）に頭部が定着されるドリルネジ４が、ＡＬＣ本体部２（２Ａ）の反対側の内側面に配置された金属プレート３（３Ａ）にねじ込まれると、ＡＬＣ本体部２（２Ａ）の厚さがドリルネジ４のアームの長さとなる。アームが長くなると、抵抗モーメントを大きくすることができるので、高い強度で下地板５（５Ａ）をＡＬＣ本体部２（２Ａ）に固定させることができる。
【００５５】
また、ドリルネジ４による連結に加えて、ＡＬＣ本体部２（２Ａ）と下地板５（５Ａ）との接合に接着剤を併用することで、より強固に下地板５（５Ａ）をＡＬＣ本体部２（２Ａ）と一体化させることができる。
【００５６】
そして、高い強度で固定された下地板５（５Ａ）には、タイル５１，・・・のような重量がある化粧材を貼り付けることができる。また、平面視略Ｌ字形に成形されたＡＬＣ本体部２，２Ａであれば、外壁の出隅部材１や入隅部材１Ａとして利用することができる。
【００５７】
さらに、出隅部材１及び入隅部材１Ａの固定構造、及びそれを備えた建物では、建物本体部側の梁７，７Ａと連結させる稲妻プレート６が、金属プレート３，３Ａを配置した位置でＡＬＣ本体部２，２Ａに接合される。
【００５８】
すなわち、金属プレート３，３Ａによって補強されたＡＬＣ本体部２，２Ａに、稲妻プレート６を接合させるためのドリルビス６３がねじ込まれる。このため、ドリルビス６３の周囲が高強度の金属プレート３，３Ａとなって、強固な接合構造にすることができる。
【００５９】
以上、図面を参照して、本発明の実施の形態を詳述してきたが、具体的な構成は、この実施の形態に限らず、本発明の要旨を逸脱しない程度の設計的変更は、本発明に含まれる。
【００６０】
例えば、前記実施の形態では、下地板５，５Ａ、ＡＬＣ本体部２，２Ａ及び金属プレート３，３Ａを連結させる棒状固定具をドリルネジ４として説明したが、これに限定されるものではなく、ビス又は釘などが棒状固定具であってもよい。
【００６１】
また、前記実施の形態では、タイル５１，・・・を貼り付ける下地板５，５Ａを装飾用板材として説明したが、これに限定されるものではなく、塗装された外壁材などが装飾用板材であってもよい。
【符号の説明】
【００６２】
１              出隅部材（ＡＬＣ部材）
１Ａ            入隅部材（ＡＬＣ部材）
２，２Ａ        ＡＬＣ本体部
３，３Ａ        金属プレート
４              ドリルネジ（棒状固定具）
４１            先端
５，５Ａ        下地板（装飾用板材）
６              稲妻プレート（固定金具）
７，７Ａ        梁（建物本体部）
【図１】
2018012968.tif 000003
【図２】
2018012968.tif 000004
【図３】
2018012968.tif 000005
【図４】
2018012968.tif 000006
【図５】
2018012968.tif 000007
【図６】
2018012968.tif 000008